(57)【要約】【課題】ドライブアイコン表示装置に接続されたドライブに対応した最適なアイコンを画面に表示するとともに、ユーザが操作対象とするドライブを容易に特定することができるドライブアイコン表示装置を提供する。【解決手段】本発明のドライブアイコン表示装置は、ドライブが接続されたことを検知するドライブ接続検知部と、前記ドライブのドライブ識別情報を取得するドライブ識別情報取得部と、前記ドライブが前記専用アイコンを格納しているか否かを判定するドライブ識別情報判定部と、前記ドライブが専用アイコンを格納していると判定した場合は、前記ドライブから専用アイコンを取得し、前記ドライブが専用アイコンを格納していないと判定した場合は、前記ドライブアイコン表示装置に予め格納されている規定アイコンを取得するアイコン取得部と、前記取得した専用アイコンまたは規定アイコンのいずれかを画面に表示する表示部とを備える。【選択図】図１
2010027037.tif 000002
【特許請求の範囲】
【請求項１】
認識したドライブのアイコンを表示するドライブアイコン表示装置であって、
前記ドライブが接続されたことを検知するドライブ接続検知部と、
前記ドライブの形式を示す情報であって、かつ前記ドライブを示すシンボルである専用アイコンを前記ドライブが格納しているか否かを示すアイコン格納情報を含むドライブ識別情報を取得するドライブ識別情報取得部と、
前記アイコン格納情報に基づいて、前記ドライブが前記専用アイコンを格納しているか否かを判定するドライブ識別情報判定部と、
前記ドライブが専用アイコンを格納していると判定した場合は、前記ドライブから専用アイコンを取得し、前記ドライブが専用アイコンを格納していないと判定した場合は、前記ドライブアイコン表示装置に予め格納されているアイコンのうち、前記ドライブの形式に対応した規定アイコンを取得するアイコン取得部と、
前記取得した専用アイコンまたは規定アイコンのいずれかを画面に表示する表示部とを備える、ドライブアイコン表示装置。
【請求項２】
前記取得した専用アイコンを採用するか否かをユーザに確認させるアイコン確認部と、
前記アイコン確認部の確認結果に基づいて、前記専用アイコンを採用しない場合、前記専用アイコンとは別の新専用アイコンを作成するアイコン作成部とを、さらに備え、
前記表示部は前記専用アイコンに代えて前記新専用アイコンを画面に表示することを特徴とする、請求項１に記載のドライブアイコン表示装置。
【請求項３】
前記作成した新専用アイコンを前記ドライブに供給することを特徴とする、請求項２に記載のドライブアイコン表示装置。
【請求項４】
ドライブアイコン表示装置が認識したドライブのアイコンを表示するドライブアイコン表示方法であって、
前記ドライブが接続されたことを検知するドライブ接続検知ステップと、
前記ドライブの形式を示す情報であって、かつ前記ドライブを示すシンボルである専用アイコンを前記ドライブが格納しているか否かを示すアイコン格納情報を含むドライブ識別情報を取得するドライブ識別情報取得ステップと、
前記アイコン格納情報に基づいて、前記ドライブが前記専用アイコンを格納しているか否かを判定するドライブ識別情報判定ステップと、
前記ドライブが専用アイコンを格納していると判定した場合は、前記ドライブから専用アイコンを取得し、前記ドライブが専用アイコンを格納していないと判定した場合は、前記ドライブアイコン表示装置に予め格納されているアイコンのうち、前記ドライブの形式に対応した規定アイコンを取得するアイコン取得ステップと、
前記取得した専用アイコンまたは規定アイコンのいずれかを画面に表示する表示ステップとを実行する、ドライブアイコン表示方法。
【請求項５】
前記取得した専用アイコンを採用するか否かをユーザに確認させるアイコン確認ステップと、
前記アイコン確認ステップの確認結果に基づいて、前記専用アイコンを採用しない場合、前記専用アイコンとは別の新専用アイコンを作成するアイコン作成ステップとを、さらに実行し、
前記表示ステップは前記専用アイコンに代えて前記新専用アイコンを画面に表示することを特徴とする、請求項４に記載のドライブアイコン表示方法。
【請求項６】
前記作成した新専用アイコンを前記ドライブに供給するアイコン供給ステップを、さらに実行する、請求項５に記載のドライブアイコン表示方法。
【請求項７】
ドライブと、認識した前記ドライブのアイコンを表示するドライブアイコン表示装置とを備える、ドライブアイコン表示システムであって、
前記ドライブは、
前記ドライブの形式を示す情報であって、かつ前記ドライブを示すシンボルである専用アイコンを前記ドライブが格納しているか否かを示すアイコン格納情報を含むドライブ識別情報と、前記専用アイコンとを格納するメモリと、
前記ドライブアイコン表示装置からのドライブ識別情報の要求に基づいて、前記ドライブのドライブ識別情報を前記メモリから抽出するドライブ識別情報抽出部と、
前記ドライブアイコン表示装置からの専用アイコンの要求に基づいて、前記ドライブの専用アイコンを前記メモリから抽出する専用アイコン抽出部とを備え、
前記ドライブアイコン表示装置は、
前記ドライブが接続されたことを検知するドライブ接続検知部と、
前記ドライブに対して前記ドライブ識別情報を要求して、前記ドライブ識別情報を取得するドライブ識別情報取得部と、
前記アイコン格納情報に基づいて、前記ドライブが前記専用アイコンを格納しているか否かを判定するドライブ識別情報判定部と、
前記ドライブが専用アイコンを格納していると判定した場合は、前記ドライブに対して前記専用アイコンを要求して、前記専用アイコンを取得し、前記ドライブが専用アイコンを格納していないと判定した場合は、前記ドライブアイコン表示装置に予め格納されているアイコンのうち、前記ドライブの形式に対応した規定アイコンを取得するアイコン取得部と、
前記取得した専用アイコンまたは規定アイコンのいずれかを画面に表示する表示部とを備える、ドライブアイコン表示システム。
【請求項８】
前記ドライブアイコン表示装置は、
前記取得した専用アイコンを採用するか否かをユーザに確認させるアイコン確認部と、
前記アイコン確認部の確認結果に基づいて、前記専用アイコンを採用しない場合、前記専用アイコンとは別の新専用アイコンを作成するアイコン作成部とを、さらに備え、
前記表示部は前記専用アイコンに代えて前記新専用アイコンを画面に表示することを特徴とする、請求項７に記載のドライブアイコン表示システム。
【請求項９】
前記ドライブアイコン表示装置は、前記作成した新専用アイコンを前記ドライブに供給し、
前記ドライブは、前記ドライブアイコン表示装置から供給された前記新専用アイコンを、前記メモリに格納することを特徴とする、請求項８に記載のドライブアイコン表示システム。
【請求項１０】
ドライブアイコン表示装置が認識したドライブのアイコンを表示するドライブアイコン表示方法を、ドライブアイコン表示装置に実行させるためのコンピュータで読み取り可能なドライブアイコン表示プログラムであって、
前記ドライブが接続されたことを検知するドライブ接続検知ステップと、
前記ドライブの形式を示す情報であって、かつ前記ドライブを示すシンボルである専用アイコンを前記ドライブが格納しているか否かを示すアイコン格納情報を含むドライブ識別情報を取得するドライブ識別情報取得ステップと、
前記アイコン格納情報に基づいて、前記ドライブが前記専用アイコンを格納しているか否かを判定するドライブ識別情報判定ステップと、
前記ドライブが専用アイコンを格納していると判定した場合は、前記ドライブから専用アイコンを取得し、前記ドライブが専用アイコンを格納していないと判定した場合は、前記ドライブアイコン表示装置に予め格納されているアイコンのうち、前記ドライブの形式に対応した規定アイコンを取得するアイコン取得ステップと、
前記取得した専用アイコンまたは規定アイコンのいずれかを画面に表示する表示ステップとを実行させる、ドライブアイコン表示プログラム。
【請求項１１】
請求項１０に記載のアイコン表示プログラムを記録した媒体。
【発明の詳細な説明】
【技術分野】
【０００１】
本発明は、認識したドライブのアイコンを表示するドライブアイコン表示装置に関し、より特定的には、当該ドライブアイコン表示装置に接続されたドライブの最適なアイコンを表示するドライブアイコン表示装置、方法、システム、プログラム、及び媒体に関する。
【背景技術】
【０００２】
一般に、ドライブアイコン表示装置は、例えば、ＩＤＥ、ＳＡＴＡ、ＳＣＳＩ、ＵＳＢ、およびネットワークなどの接続形態によって接続されたドライブを認識する。これらのドライブには、ハードディスクドライブ（ＨＤＤ）、記録型ＤＶＤ／ＢＤドライブ、ＵＳＢメモリ、ＤＶＤ／ＢＤレコーダ、デジタルビデオカメラ、およびデジタルスチルカメラなどがある。ドライブアイコン表示装置は、これらのドライブを認識すると、ドライブアイコン表示装置が予め格納しているアイコンのうち、それぞれのドライブに対応したアイコンを画面に表示する。例えば、ドライブアイコン表示装置は、内蔵のハードディスクドライブ、記録型ＤＶＤ／ＢＤドライブ、およびＵＳＢメモリなどの形式に応じて、ローカルディスク、ＤＶＤ−ＲＡＭ、およびリムーバブルなどを示すアイコンを画面に表示する。
【０００３】
ドライブアイコン表示装置の画面には、ドライブアイコン表示装置に接続されているドライブに対応したアイコンが表示されるため、ドライブアイコン表示装置に接続されているドライブを操作する場合、ユーザは、操作対象とするドライブを容易に特定することができる。そして、ユーザは、操作対象とするドライブのアイコンを操作することによって、ドライブアイコン表示装置に接続されているドライブを操作する。
【０００４】
また、ドライブアイコン表示装置に外部機器や拡張カードなどが接続された場合、ハードウェアと、ファームウェア、ドライバ、オペレーティングシステム、およびアプリケーションなどとが自動的に協調し、機器の組み込みと設定などを自動的に行う、いわゆるプラグアンドプレイが行われる。
【０００５】
図８は、従来のドライブアイコン表示装置とドライブとのプラグアンドプレイの様子を示すシーケンス図である。図８において、ドライブアイコン表示装置は、接続されたドライブの形式を示すドライブ識別情報を取得するために、Ｉｎｑｕｉｒｙコマンドを実行することによって、当該ドライブにドライブ識別情報要求を送信する。ドライブアイコン表示装置からのドライブ識別情報要求を受信したドライブは、当該ドライブのドライブ識別情報をドライブアイコン表示装置に応答する。このように、ドライブアイコン表示装置は、接続されたドライブからのドライブ識別情報を取得する。そして、ドライブアイコン表示装置は、予めドライブアイコン表示装置に格納されているアイコンから、取得したドライブ識別情報に対応したアイコンを画面に表示する。
【先行技術文献】
【特許文献】
【０００６】
【特許文献１】特開２０００−３０５６９６号公報
【発明の概要】
【発明が解決しようとする課題】
【０００７】
しかしながら、ドライブアイコン表示装置に予め格納されているアイコンは、オペレーティングシステムなどに設定されているものであって、ドライブアイコン表示装置は、ドライブアイコン表示装置に接続されるすべてのドライブに対応したアイコンを必ずしも格納しているわけではない。このため、ドライブアイコン表示装置は、ドライブアイコン表示装置に接続されたドライブに対応した最適なアイコンを画面に表示することができない場合がある。
【０００８】
例えば、記録型ＤＶＤ／ＢＤドライブでは、ドライブの機能としてはリムーバブルおよびＣＤ−ＲＯＭの形式を有している。ドライブアイコン表示装置に記録型ＤＶＤ／ＢＤドライブが接続された場合、ドライブアイコン表示装置からのドライブ識別情報要求を受信した記録型ＤＶＤ／ＢＤドライブは、ＣＤ−ＲＯＭ形式を示すドライブ識別情報をドライブアイコン表示装置に応答する。したがって、ドライブアイコン表示装置は、記録型ＤＶＤ／ＢＤドライブに対してＣＤ−ＲＯＭドライブを示すアイコンを画面に表示することになる。
【０００９】
従来は、ドライブアイコン表示装置に接続されるドライブは、単機能であることしか想定しておらず、それぞれの機能に応じたアイコンがドライブアイコン表示装置に予め格納されていた。このため、現在のように、ドライブアイコン表示装置に複数機能を有するドライブが接続された場合であっても、接続されたドライブの代表的な形式に応じたアイコンが表示されことになってしまう。
【００１０】
また、将来、新しい形式のドライブが開発された場合も、ドライブアイコン表示装置に搭載されているオペレーティングシステムに新しい形式のドライブに対応したアイコンが設定されていないため、新しい形式のドライブを示す最適なアイコンを表示することができない。
【００１１】
さらに、ドライブアイコン表示装置がドライブアイコン表示装置に接続されたドライブに対応したアイコンを格納している場合であっても、ドライブアイコン表示装置に同一機能を有する複数のドライブが接続され、または同一機能を複数有するドライブが接続されると、ドライブアイコン表示装置は当該機能に対応する同一のアイコンを画面に複数表示する。このため、ユーザは、操作対象とするドライブを容易に特定することができないという問題がある。なお、ユーザが任意の特定のアイコンを容易に突き止められる方法として、複数のアイコンをグループ化してアイコンを管理する方法が開示されている（例えば、特許文献１参照）。
【００１２】
それ故に、本発明の目的は、ドライブアイコン表示装置に接続されたドライブに対応した最適なアイコンを画面に表示するとともに、ユーザが操作対象とするドライブを容易に特定することができるドライブアイコン表示装置を提供することである。
【課題を解決するための手段】
【００１３】
上記目的を達成するために、本発明のドライブアイコン表示装置は、認識したドライブのアイコンを表示するドライブアイコン表示装置であって、ドライブが接続されたことを検知するドライブ接続検知部と、ドライブの形式を示す情報であって、かつドライブを示すシンボルである専用アイコンをドライブが格納しているか否かを示すアイコン格納情報を含むドライブ識別情報を取得するドライブ識別情報取得部と、アイコン格納情報に基づいて、ドライブが専用アイコンを格納しているか否かを判定するドライブ識別情報判定部と、ドライブが専用アイコンを格納していると判定した場合は、ドライブから専用アイコンを取得し、ドライブが専用アイコンを格納していないと判定した場合は、ドライブアイコン表示装置に予め格納されているアイコンのうち、ドライブの形式に対応した規定アイコンを取得するアイコン取得部と、取得した専用アイコンまたは規定アイコンのいずれかを画面に表示する表示部とを備える。
【００１４】
好ましくは、取得した専用アイコンを採用するか否かをユーザに確認させるアイコン確認部と、アイコン確認部の確認結果に基づいて、専用アイコンを採用しない場合、専用アイコンとは別の新専用アイコンを作成するアイコン作成部とを、さらに備え、表示部は専用アイコンに代えて新専用アイコンを画面に表示することを特徴とする。
【００１５】
さらに、好ましくは、作成した新専用アイコンをドライブに供給することを特徴とする。
【００１６】
上記目的を達成するために、本発明のドライブアイコン表示システムは、ドライブと、認識したドライブのアイコンを表示するドライブアイコン表示装置とを備える、ドライブアイコン表示システムであって、ドライブは、ドライブの形式を示す情報であって、かつドライブを示すシンボルである専用アイコンをドライブが格納しているか否かを示すアイコン格納情報を含むドライブ識別情報と、専用アイコンとを格納するメモリと、ドライブアイコン表示装置からのドライブ識別情報の要求に基づいて、ドライブのドライブ識別情報をメモリから抽出するドライブ識別情報抽出部と、ドライブアイコン表示装置からの専用アイコンの要求に基づいて、ドライブの専用アイコンをメモリから抽出する専用アイコン抽出部とを備え、ドライブアイコン表示装置は、ドライブが接続されたことを検知するドライブ接続検知部と、ドライブに対してドライブ識別情報を要求して、ドライブ識別情報を取得するドライブ識別情報取得部と、アイコン格納情報に基づいて、ドライブが専用アイコンを格納しているか否かを判定するドライブ識別情報判定部と、ドライブが専用アイコンを格納していると判定した場合は、ドライブに対して専用アイコンを要求して、専用アイコンを取得し、ドライブが専用アイコンを格納していないと判定した場合は、ドライブアイコン表示装置に予め格納されているアイコンのうち、ドライブの形式に対応した規定アイコンを取得するアイコン取得部と、取得した専用アイコンまたは規定アイコンのいずれかを画面に表示する表示部とを備える。
【００１７】
好ましくは、ドライブアイコン表示装置は、取得した専用アイコンを採用するか否かをユーザに確認させるアイコン確認部と、アイコン確認部の確認結果に基づいて、専用アイコンを採用しない場合、専用アイコンとは別の新専用アイコンを作成するアイコン作成部とを、さらに備え、表示部は専用アイコンに代えて新専用アイコンを画面に表示することを特徴とする。
【００１８】
さらに、好ましくは、ドライブアイコン表示装置は、作成した新専用アイコンをドライブに供給し、ドライブは、ドライブアイコン表示装置から供給された新専用アイコンを、メモリに格納することを特徴とする。
【００１９】
上述したドライブアイコン表示装置およびドライブアイコン表示システムの各構成が行うそれぞれの処理は、一連の処理手順を与えるドライブアイコン表示方法として捉えることができる。この方法は、一連の処理手順をコンピュータに実行させるためのプログラムの形式で提供される。このプログラムは、コンピュータ読み取り可能な媒体に記録された形態で、コンピュータに導入されてもよい。
【発明の効果】
【００２０】
上述のように、本発明によれば、ドライブアイコン表示装置に接続されたドライブに対応した最適なアイコンを画面に表示するとともに、ユーザが操作対象とするドライブを容易に特定可能なドライブアイコン表示装置を実現することができる。
【図面の簡単な説明】
【００２１】
【図１】本発明の第１の実施形態に係るドライブアイコン表示システム１０００を示す図
【図２】本発明の第１の実施形態に係るドライブアイコン表示方法１００を示すフローチャート
【図３】本発明の第１の実施形態に係るドライブアイコン表示装置１１００とドライブ１２００とのプラグアンドプレイの様子を示すシーケンス図
【図４】本発明の第１の実施形態に係るＩｎｑｕｉｒｙコマンドのデータフォーマットを示す図
【図５】本発明の第２の実施形態に係るドライブアイコン表示システム２０００を示す図
【図６】本発明の第２の実施形態に係るドライブアイコン表示方法２００を示すフローチャート
【図７】新専用アイコンをドライブの専用アイコンとして表示するドライブアイコン表示方法３００を示すフローチャート
【図８】従来のドライブアイコン表示装置とドライブとのプラグアンドプレイの様子を示すシーケンス図
【発明を実施するための形態】
【００２２】
以下、本発明の各実施形態を、図面を参照しながら説明する。
＜第１の実施形態＞
図１は、本発明の第１の実施形態に係るドライブアイコン表示システム１０００を示す図である。図１において、ドライブアイコン表示システム１０００は、ドライブアイコン表示装置１１００と、ドライブ１２００とを備える。
【００２３】
ドライブアイコン表示装置１１００は、操作部１１０と、制御部１２０と、メモリ１３０と、表示部１４０とを備える。さらに制御部１２０は、ドライブ接続検知部１２１と、送受信部１２２と、ドライブ識別情報取得部１２３と、ドライブ識別情報判定部１２４と、アイコン取得部１２５とを備える。制御部１２０は、操作部１１０からの指示、ドライブ１２００への要求および応答、メモリ１３０、および表示部１４０との連携などに応じて各機能部を制御している。
【００２４】
ドライブ１２００は、送受信部２２１と、ドライブ識別情報抽出部２２２と、専用アイコン抽出部２２３と、メモリ２３０とを備える。
【００２５】
図２は、本発明の第１の実施形態に係るドライブアイコン表示方法１００を示すフローチャートである。図２において、ドライブアイコン表示装置１１００は、ドライブ１２００に問い合わせをしながら、後述するようにステップＳ１１０〜Ｓ１８０を実行する。
【００２６】
先ず、ユーザがドライブアイコン表示装置１１００の操作部１１０を用いて、ドライブアイコン表示装置１１００がドライブアイコン表示方法１００を実行するように操作する。なお、典型的には、ユーザがドライブアイコン表示装置１１００の操作部１１０を用いて、ドライブアイコン表示装置１１００を起動させた際に、ドライブアイコン表示方法１００の実行が開始される。
【００２７】
ステップＳ１１０において、ドライブ接続検知部１２１は、ドライブアイコン表示装置１１００にドライブ１２００が接続されたことを検知する。
【００２８】
次に、ドライブアイコン表示装置１１００は、検知したドライブ１２００のドライブ識別情報を以下の手順によって取得する。
【００２９】
ステップＳ１２０において、送受信部１２２は、Ｉｎｑｕｉｒｙコマンドを実行して、接続されているドライブ１２００に対してドライブ識別情報要求を送信する。そして、送受信部１２２は、ドライブ識別情報要求に対するドライブ識別情報応答をドライブ１２００から受信する。
【００３０】
ここで、ドライブアイコン表示装置１１００とドライブ１２００とのドライブ識別情報要求／応答について、詳しく説明する。図３は、本発明の第１の実施形態に係るドライブアイコン表示装置１１００とドライブ１２００とのプラグアンドプレイの様子を示すシーケンス図である。図３において、ドライブアイコン表示装置１１００は、Ｉｎｑｕｉｒｙコマンドを実行して、ドライブ１２００にドライブ識別情報要求を送信している（ステップＳ１２１）。ドライブ１２００において、送受信部２２１はドライブ識別情報要求を受信し（ステップＳ１２１）、ドライブ識別情報抽出部２２２は、ドライブ１２００のメモリ２３０に格納されているドライブ識別情報を抽出する。ドライブ１２００のドライブ識別情報とは、例えば、記録型ＤＶＤ／ＢＤドライブなどのドライブの形式を示す情報などである。
【００３１】
なお、ドライブ識別情報には、ドライブ１２００の専用アイコンがドライブ１２００のメモリ２３０に格納されているか否かを示すアイコン格納情報も含まれている。ここで、ドライブ１２００の専用アイコンは、ドライブ１２００を示すシンボルとして適当なアイコンである。専用アイコンは、ドライブの製造時に製造元で予めドライブに格納していても構わないし、ユーザによって作成されたものをドライブに格納していても構わない。
【００３２】
図４は、本発明の第１の実施形態に係るＩｎｑｕｉｒｙコマンドのデータフォーマットを示す図である。ドライブ１２００の専用アイコンがドライブ１２００のメモリ２３０に格納されていれば、アイコン格納情報を示すＢｙｔｅ「１」、Ｂｉｔ「０」の位置である「ＰＩＤ」に「１」が設定されている。また、ドライブ１２００のドライブ識別情報抽出部２２２がドライブ識別情報を抽出する際に、ドライブ１２００の専用アイコンがドライブ１２００のメモリ２３０に格納されていることを認識して、「ＰＩＤ」に「１」を設定しても構わない。
【００３３】
なお、アイコン格納情報を示す領域は、Ｂｙｔｅ「１」、Ｂｉｔ「０」の位置に限定されるものではなく、図４に示したデータフォーマットは一例であって、予約領域以外であれば、その他の位置にアイコン格納情報を示す領域を設けても構わない。
【００３４】
このように、ドライブ１２００のドライブ識別情報抽出部２２２は、ドライブ１２００のアイコン格納情報を含むドライブ識別情報を抽出して、送受信部２２１は、ドライブ識別情報応答をドライブアイコン表示装置１１００に送信する（ステップＳ１２２）。
【００３５】
ステップＳ１３０において、ドライブ識別情報取得部１２３は、ステップＳ１２０において受信したドライブ１２００のドライブ識別情報を取得する。
【００３６】
ステップＳ１４０において、ドライブ識別情報判定部１２４は、ステップＳ１３０において取得したドライブ１２００のドライブ識別情報を判定する。具体的には、ドライブ識別情報判定部１２４は、図４に示したＩｎｑｕｉｒｙコマンドのデータフォーマットにおけるアイコン格納情報を示す「ＰＩＤ」を参照する。
【００３７】
「ＰＩＤ」が「１」でない場合、ドライブ識別情報判定部１２４は、ドライブ１２００の専用アイコンがドライブ１２００に格納されていないと判断し、ステップＳ１８０の処理に進む（ステップＳ１４０のＮｏ）。ステップＳ１８０において、アイコン取得部１２５は、予めドライブアイコン表示装置１１０１のメモリ１３０に格納されているアイコンから、ステップＳ１３０において取得したドライブ１２００のドライブ識別情報に基づいて、ドライブ１２００の形式に対応した規定アイコンを取得し、ステップＳ１７０の処理に進む。ステップＳ１７０において、表示部１４０は、ステップＳ１８０において取得した規定アイコンを画面に表示する。
【００３８】
一方、「ＰＩＤ」が「１」である場合、ドライブ識別情報判定部１２４は、ドライブ１２００の専用アイコンがドライブ１２００に格納されていると判断し、アイコン取得部１２５はドライブ１２００の専用アイコンを以下の手順によって取得する（ステップＳ１４０のＹｅｓ）。
【００３９】
ステップＳ１５０において、送受信部１２２は、接続されているドライブ１２００に対して専用アイコン要求を送信する。そして、送受信部１２２は、当該専用アイコン要求に対する応答である専用アイコン応答をドライブ１２００から受信する。
【００４０】
ここで、ドライブアイコン表示装置１１００とドライブ１２００との専用アイコン要求／応答について、詳しく説明する。図３において、ドライブアイコン表示装置１１００は、ドライブ１２００に専用アイコン要求を送信している（ステップＳ１５１）。ドライブ１２００において、送受信部２２１は専用アイコン要求を受信し（ステップＳ１５１）、専用アイコン抽出部２２３は、ドライブ１２００のメモリ２３０に格納されているドライブ１２００の専用アイコンを抽出する。
【００４１】
このように、ドライブ１２００において、専用アイコン抽出部２２３はドライブ１２００の専用アイコンを抽出して、送受信部２２１は抽出した専用アイコンをドライブアイコン表示装置１１００に専用アイコン応答として送信する（ステップＳ１５２）。
【００４２】
ステップＳ１６０において、アイコン取得部１２５は、ステップＳ１５０においてドライブ１２００から受信したドライブ１２００の専用アイコンを取得する。
【００４３】
ステップＳ１７０において、表示部１４０は、ステップＳ１６０において取得したドライブ１２００の専用アイコンを画面に表示する。
【００４４】
このように、ドライブ１２００がドライブ１２００の専用アイコンを格納している場合、ドライブアイコン表示装置１１００はドライブ１２００の専用アイコンをドライブ１２００から取得する。これにより、ドライブ１２００が記録型ＤＶＤ／ＢＤドライブであって、記録型ＤＶＤ／ＢＤドライブに対応した最適なアイコンがドライブアイコン表示装置１１００に格納されていない場合であっても、ドライブアイコン表示装置１１００は、記録型ＤＶＤ／ＢＤドライブであるドライブ１２００の最適なアイコンを画面に表示することができる。
【００４５】
以上のように、本発明の第１の実施形態に係るドライブアイコン表示システム１０００およびドライブアイコン表示方法１００によれば、ドライブアイコン表示装置１１００に接続されたドライブ１２００に対応した最適なアイコンを画面に表示することができ、ユーザは操作対象とするドライブを容易に特定することができる。
【００４６】
また、本発明の第１の実施形態に係るドライブアイコン表示システム１０００およびドライブアイコン表示方法１００によれば、将来、新しい形式のドライブが開発された場合、ドライブアイコン表示装置に搭載されているオペレーティングシステムに新しい形式のドライブを対応させなくても、新しい形式のドライブを示す最適なアイコンを表示することができる。
【００４７】
＜第２の実施形態＞
図５は、本発明の第２の実施形態に係るドライブアイコン表示システム２０００を示す図である。本実施形態に係るドライブアイコン表示システム２０００の基本的な構成は、本発明の第１の実施形態に係るドライブアイコン表示システム１０００と同様である。本実施形態に係るドライブアイコン表示システム２０００は、ドライブアイコン表示装置１１０１がアイコン確認部１２６およびアイコン作成部１２７を備えている点で、本発明の第１の実施形態に係るドライブアイコン表示システム１０００と異なる。図５において、図１に示した同様の構成については、同様の参照符号を付して詳細な説明は省略する。本実施形態では、本発明の第１の実施形態と異なる点について詳しく説明する。
【００４８】
本発明の第１の実施形態に係るドライブアイコン表示装置１１００は、アイコン取得部１２５がドライブ１２００から専用アイコンを取得した場合、取得した専用アイコンをそのまま画面に表示していた。本実施形態では、当該専用アイコンを採用してそのまま画面に表示するか、当該専用アイコンとは別の新専用アイコンを作成して画面に表示するかを、ユーザが確認する。
【００４９】
図６は、本発明の第２の実施形態に係るドライブアイコン表示方法２００を示すフローチャートである。図６に示したドライブアイコン表示方法２００は、本発明の第１の実施形態で説明した図２のステップＳ１７０を改良し、詳細に示したものである。
【００５０】
本実施形態に係るドライブアイコン表示装置１１０１は、本発明の第１の実施形態で説明した図２に示したドライブアイコン表示方法１００のステップＳ１１０〜Ｓ１６０を実行し、ステップＳ１７０において、図６に示したドライブアイコン表示方法２００を実行する。
【００５１】
ステップＳ２１０において、アイコン確認部１２６は、図２のステップＳ１６０において取得したドライブ１２００の専用アイコンを画面に表示する等して、当該専用アイコンを採用するか否かをユーザに確認する。
【００５２】
ステップＳ２２０において、ユーザは、ステップＳ２１０において確認要求された専用アイコンを採用するか否かを判断する。
【００５３】
当該専用アイコンを採用するとユーザによって判断された場合（ステップＳ２２０のＹｅｓ）、ステップＳ２３０において、表示部１４０は、ステップＳ１６０において取得したドライブ１２００の専用アイコンをそのまま画面に表示する。
【００５４】
一方、当該専用アイコンを採用しないとユーザによって判断された場合（ステップＳ２２０のＮｏ）、ステップＳ２４０において、ユーザがマウスやキーボードなどの操作部１１０を操作することによって、アイコン作成部１２７は、ドライブアイコン表示装置１１０１に接続されるドライブ１２００の新専用アイコンを作成する。ここで、作成される新専用アイコンは、新たに作成しても構わないし、確認要求された専用アイコンに基づいて作成しても構わない。そして、ステップＳ２５０において、表示部１４０は、専用アイコンに代えて、ステップＳ２４０において作成された新専用アイコンを画面に表示する。
【００５５】
このように、ドライブアイコン表示装置１１０１は、ドライブアイコン表示装置１１０１が取得したドライブ１２００の専用アイコンをユーザに確認させた上で、当該専用アイコンをそのまま採用して画面に表示するか、または当該専用アイコンとは別の新専用アイコンを作成して画面に表示する。
【００５６】
なお、ドライブに格納される専用アイコンがドライブの製造時に製造元で予め格納されている場合であって、ドライブアイコン表示装置１１０１に、同一製造元の同種のドライブを複数接続した場合、それぞれドライブの専用アイコンは同一のものと想定される。この場合、それぞれのドライブの新専用アイコンを作成すれば、同一の専用アイコンが画面に表示されるということが回避できる。
【００５７】
以上のように、本発明の第２の実施形態に係るドライブアイコン表示システム２０００およびドライブアイコン表示方法２００によれば、ドライブアイコン表示装置１１０１に接続されたドライブ１２００に対応した最適なアイコンを画面に表示することができ、ユーザは操作対象とするドライブを容易に特定することができる。
【００５８】
また、本発明の第２の実施形態に係るドライブアイコン表示システム２０００およびドライブアイコン表示方法２００によれば、ドライブの製造元で予め作成された専用アイコンを採用せずに、ユーザが新専用アイコンを作成するため、個々のドライブに合わせてユーザが特定しやすい最適なアイコンを画面に表示することができる。
【００５９】
なお、ステップＳ２４０において作成された新専用アイコンをドライブ１２００のメモリ２３０に格納しても構わない。新専用アイコンをドライブ１２００のメモリ２３０に格納すれば、次回、ドライブアイコン表示装置１１０１にドライブ１２００が接続された場合、ドライブアイコン表示装置１１０１は、本発明の第１の実施形態で説明したドライブアイコン表示方法１００を実行して、ドライブ１２００の専用アイコンとして当該新専用アイコンを取得し、画面に表示することができる。
【００６０】
図７は、新専用アイコンをドライブの専用アイコンとして表示するドライブアイコン表示方法３００を示すフローチャートである。
【００６１】
図７に示したドライブアイコン表示方法３００は、図６のステップＳ２４０を改良し、詳細に示したものである。
【００６２】
ステップＳ３１０において、ユーザがマウスやキーボードなどの操作部１１０を操作することによって、アイコン作成部１２７は、ドライブアイコン表示装置１１０１に接続されるドライブ１２００の新専用アイコンを作成する。
【００６３】
ステップＳ３２０において、ドライブアイコン表示装置１１０１の送受信部１２２は、ステップＳ３１０において作成された新専用アイコンをドライブ１２００に送信する。
【００６４】
ステップＳ３３０において、ドライブ１２００の送受信部２２１は、ステップＳ３２０においてドライブアイコン表示装置１１０１から送信された新専用アイコンを受信する。
【００６５】
ステップＳ３４０において、ドライブ１２００は、ステップＳ３３０において受信した新専用アイコンをメモリ２３０に格納する。
【００６６】
このように、ドライブアイコン表示装置１１０１のアイコン作成部１２７が作成したドライブ１２００の新専用アイコンを、ドライブ１２００のメモリ２３０に格納する。次回、ドライブアイコン表示装置１１０１にドライブ１２００が接続された場合、ドライブアイコン表示装置１１０１は、本発明の第１の実施形態で説明したドライブアイコン表示方法１００を実行する。ここで、ドライブアイコン表示装置１１０１は、ドライブ１２００に予め格納されている新専用アイコンを取得して（図２のステップＳ１５０、Ｓ１６０）、当該新専用アイコンを画面に表示することができる（図２のステップＳ１７０）。
【００６７】
なお、本実施形態では、ドライブアイコン表示装置１１０１がドライブ１２００から取得した専用アイコンをユーザに確認させていたが、ドライブアイコン表示装置１１０１のメモリ１３０から取得した規定アイコンを確認させても構わない。ドライブ１２００が専用アイコンを格納していない場合は、ドライブアイコン表示装置１１０１のメモリ１３０から規定アイコンを取得することになるが（図２のステップＳ１８０）、当該規定アイコンを採用してそのまま画面に表示するか、当該規定アイコンとは別の新専用アイコンを作成して画面に表示するかを、ユーザに確認しても構わない。これにより、当該規定アイコンを採用しない場合、当該規定アイコンに代えて、作成した新専用アイコンを画面に表示することができる。
【００６８】
さらに、ドライブのメモリに予め専用アイコンが格納されていなくても、上述した手順に対応したドライブであれば、ユーザによって作成された新専用アイコンを、新たにドライブのメモリに格納することもできる。これにより、次回、ドライブアイコン表示装置１１０１にドライブ１２００が接続された場合、ドライブアイコン表示装置１１０１は、本発明の第１の実施形態で説明したドライブアイコン表示方法１００を実行して、ドライブ１２００の専用アイコンとして当該新専用アイコンを取得し、画面に表示することができる。
【産業上の利用可能性】
【００６９】
本発明は、ドライブアイコン表示装置のアプリケーション、ＨＤＤ、記録型ＤＶＤ／ＢＤドライブ、ＵＳＢメモリ、ＤＶＤ／ＢＤレコーダ、デジタルビデオカメラ、およびデジタルスチルカメラなどで有用である。
【符号の説明】
【００７０】
１０００、２０００    ドライブアイコン表示システム
１１００、１１０１    ドライブアイコン表示装置
１２００    ドライブ
１００、２００、３００    ドライブアイコン表示方法
１１０    操作部
１２０    制御部
１２１    ドライブ接続検知部
１２２、２２１    送受信部
１２３    ドライブ識別情報取得部
１２４    ドライブ識別情報判定部
１２５    アイコン取得部
１２６    アイコン確認部
１２７    アイコン作成部
１３０、２３０    メモリ
１４０    表示部
２２２    ドライブ識別情報抽出部
２２３    専用アイコン抽出部
Ｓ１１０〜Ｓ１８０    ドライブアイコン表示方法１００の各ステップ
Ｓ１２１、Ｓ１２２    ドライブ識別情報要求／応答
Ｓ１５１、Ｓ１５２    専用アイコン要求／応答
Ｓ２１０〜Ｓ２５０    ドライブアイコン表示方法２００の各ステップ
Ｓ３１０〜Ｓ３４０    ドライブアイコン表示方法３００の各ステップ
【図１】
2010027037.tif 000003
【図２】
2010027037.tif 000004
【図３】
2010027037.tif 000005
【図４】
2010027037.tif 000006
【図５】
2010027037.tif 000007
【図６】
2010027037.tif 000008
【図７】
2010027037.tif 000009
【図８】
2010027037.tif 000010